(57)【要約】【目的】  ペール缶や一斗缶、ドラム缶といった比較的大きな液体容器に入っているオイルや溶剤等の液体を、小さな容器に小分けする場合に使用する液体小分け装置を提供することを目的とする。【解決手段】  液体小分け装置の本体部１には丸穴等による気体流入口２と、気体流入口２と連通し丸穴等による気体排出口３と、気体流入口２と連通した丸穴等による気体送出口５とを有し、気体流入口２と気体排出口３との連通する部分には気体排出口３から排出される気体の量を調整するねじ等による気体排出量調整手段４を有していると共に、本体部１には液体容器１２内の液体を流出させるパイプやホース等による液体の導水手段８を固定できる丸穴等による液体流入口６と、液体を外部に排出するための液体流入口６に連通した丸穴等による液体吐出口７を有している。【選択図】図１
2011126597.tif 000002
【特許請求の範囲】
【請求項１】
気体流入口２と連通した気体排出口３及び気体送出口５を有し、気体排出口３に気体排出量調整手段４を有することを特徴とする液体小分け装置。
【請求項２】
液体の導水手段８を固定できる液体流入口６と、液体流入口６に連通した液体吐出口７を有することを特徴とする請求項１記載の液体小分け装置。
【請求項３】
気体排出量調整手段４をねじの回転による調整手段とし、その回転方向は時計回りに回転することにより液体の吐出量が少なくなるように、逆ねじのねじを用いたことを特徴とする請求項１及び請求項２記載の液体小分け装置。
【請求項４】
液体流入口６に液体の導水手段８を固定したことを特徴とする請求項１及び請求項２記載の液体小分け装置。
【請求項５】
液体容器１２の容器口１３との接合部９にオーリング１０を有することを特徴とする請求項１及び請求項２記載の液体小分け装置。
【請求項６】
液体容器１２の容器の縁１６への縁固定手段１７を有し、容器上面１８の膨らみ防止手段１９を有し、液体小分け装置の本体部１を固定する本体固定手段２０を有する膨らみ防止の押さえ具２１有することを特徴とする請求項１及び請求項２記載の液体小分け装置。
【発明の詳細な説明】
【技術分野】
【０００１】  本発明はペール缶や一斗缶、ドラム缶といった比較的大きな容器に入っているオイルや溶剤等の液体を、小さな容器に小分けする場合に使用する液体小分け装置に関する。
【背景技術】
【０００２】  従来の液体小分け装置には、基容器を内部に収納し得る気密容器を備え、この気密容器内に圧力気体を導入する加圧管と、気密容器内に収納された状態の基容器内に一端が挿入されると共に他端が気密容器の外部に延びる液体流出管とを、気密容器の気密状態を保持したまま気密容器に設置したことを特徴とする小分け装置がある（特許文献１参照）。
【先行技術文献】
【特許文献】
【０００３】
【特許文献１】特開２００３−１６０２００号公報（請求項１、図１）
【発明の概要】
【発明が解決しようとする課題】
【０００４】  特許文献１の小分け装置では、基容器を内部に収納する基容器より十分大きな気密容器を別に設ける必要があり、設備が大きくなるといった課題を有する。【０００５】  又、大きな気密容器内に空気等の気体を送る構造のため、大きな容器の容積に見合った気体を送出する必要があり、得ようとする液体を取得するのに必要以上の気体を送出する必要があるといった課題を有する。
【課題を解決するための手段】
【０００６】  本発明の液体小分け装置は、気体流入口２と連通した気体排出口３及び気体流入口２と連通した気体送出口５を有し、気体排出口３には気体排出口３から排出される気体の量を調整することにより気体送出口５から送出される気体の量を調整する気体排出量調整手段４を有することを特徴とする。【０００７】  又、液体容器１２内の液体を液体容器１２の外部に流出させるパイプやホースといった液体の導水手段８を固定できる液体流入口６と、液体を外部に排出するための液体流入口６に連通した液体吐出口７を有することを特徴とする。【０００８】  さらには、気体排出量調整手段４をねじの回転による調整手段とし、その回転方向は時計回りに回転することにより液体の吐出量が少なくなり、反時計回りに回転することにより液体の吐出量が多くなるように、逆ねじのねじを用いたことを特徴とする。【０００９】  さらには、液体流入口６に液体容器１２内の液体を流出させるパイプやホースといった液体の導水手段８を固定したことを特徴とする。【００１０】  さらには、液体容器１２の容器口１３との接合部９に、液体容器１２と本体部１との接合を確実にし、液体容器１２内の機密性を保持する目的でオーリング１０を有することを特徴とする。【００１１】  さらには、液体容器１２の容器の縁１６への縁固定手段１７を有し、容器上面１８の膨らみ防止手段１９を有し、液体小分け装置の本体部１を固定する本体固定手段２０を有する膨らみ防止の押さえ具２１有することを特徴とする。
【発明の効果】
【００１２】  本発明の液体小分け装置では、液体小分け装置の本体部１を液体容器１２の容器口１３に直接固定して使用する構造なので、大きな気密容器を別に設ける必要がなく、設備が小さくコンパクトにまとまるといった効果を有する。【００１３】  又、液体容器１２内に直接気体を送出する構造であるため、得ようとする液体を取得するのに必要な気体のみを送出すれば良いといった効果を有する。【００１４】  さらには、気体排出量調整手段４をねじの回転による調整手段とし、その回転方向は時計回りに回転することにより液体の吐出量が少なくなるように、逆ねじのねじを用いたことにより、通常家庭で使用されている水道の蛇口と同様の操作で液体の出具合を調整できるので、液体を出すことと止める動作に違和感がなく、安全に液体の小分け作業ができるといった効果を有する。【００１５】  さらには、液体容器１２の中の液体を外部に排出する容器口１３は通常は液体容器１２の上部に設けられているが、液体容器１２の中の液体を外部に排出するために液体容器１２を傾けたり横に寝かせたりせず、液体容器１２を通常置かれる形で容器口１３を上部に向けたままで使用できるといった効果を有する。【００１６】  さらには、使用する液体が引火性の場合でも使用する気体を空気等とすれば引火することもなく、引火性の液体を扱っても安全であるといった効果を有する。【００１７】  さらには、使用する液体の粘度が低粘度であっても高粘度であっても使用が可能であるといった効果を有する。【００１８】  さらには、ゴミや塵埃を除去するフィルター等を用いて使用する気体を衛生的に保てば、牛乳や酒類、ジュース類といった食品の小分けにも応用が可能であるといった効果を有する。【００１９】  さらには、装置が小型で計量であり構造も簡単であるので、日常の掃除やメンテナンスが容易であるといった効果を有する。
【発明を実施するための形態】
【００２０】  ペール缶や一斗缶、ドラム缶といった比較的大きな容器に入っているオイルや溶剤等の液体を、小さな容器に小分けする場合に使用する液体小分け装置の一例について、図面を参照して説明する。
【００２１】  図１は液体小分け装置の断面図で液体小分け装置の内部構造を示し、図２は液体小分け装置の概略斜視図で概観を示し、図３は動作原理の概念図で液体小分け装置の作用を説明するものであり、使用する液体容器として１８リットル入りのペール缶又は一斗缶を想定して使用することを前提に一例を説明する。
【００２２】  液体小分け装置の構造を説明する。液体小分け装置の本体部１の大きさは高さが約８０ｍｍ、直径が約５０ｍｍの円筒形である。
【００２３】  液体小分け装置の本体部１には丸穴等による気体流入口２と、気体流入口２と連通し丸穴等による気体排出口３と、気体流入口２と連通し丸穴等による気体送出口５を有し、気体排出口３には気体排出口３から排出される気体の量を調整することにより気体送出口５から送出される気体の量を調整する概６ｍｍから８ｍｍ程度の外径を有するねじによる気体排出量調整手段４を有している。
【００２４】  又、本体部１には液体容器１２内の液体を液体容器１２の底から液体容器１２の外部に流出させるパイプやホースといった液体の導水手段８を固定できる丸穴等による液体流入口６と、液体流入口６から本体部１に流入した液体を本体部１の外部に排出するための液体流入口６に連通した丸穴等による液体吐出口７を有している。
【００２５】  さらには、気体排出量調整手段４をねじの回転による調整手段とし、その回転方向は時計回りに回転することにより液体の吐出量が少なくなり、反時計回りに回転することにより液体の吐出量が多くなるように、逆ねじのねじを用いている。
【００２６】  さらに本体部１の下部には、液体容器１２の容器口１３に本体部１を固定する概丸穴形状の接合部９を有し、接合部９には本体部１と容器口１３を確実に固定すると共に、液体容器１２内の気体が外部に漏れることを防止する目的でオーリング１０を有している。
【００２７】  さらに本体部１の側面には後述する膨らみ防止押さえ具２１により本体部１を液体容器１２の容器口１３に確実に固定する為の本体固定部１１を有している。
【００２８】  液体小分け装置の動作原理を説明する。
【００２９】  気体排出量調整手段４は気体流入口２から流入し、気体送出口５から液体容器１２の中に送出される気体の量を調整するもので、気体排出量調整手段４のねじを時計回りに回転して、気体流入口２と連通した気体排出口３への通路を全開することにより気体流入口２から流入した気体はほぼ全量が気体排出口３より排出されて気体送出口５には気体が送出されず、液体容器１２内には気体が送出されないので液体容器１２内の圧力は増加せず、液体は吐出されないのである。
【００３０】  気体排出量調整手段４のねじを反時計回りに回転して、気体流入口２と連通した気体排出口３への通路を閉じると気体流入口２から流入した気体は気体排出口３より排出されされることなく全ての気体が気体送出口５側に送出されて、気体は液体容器１２内に送出されるので液体容器１２内の圧力が増加し、液体は液体容器１２内の気体圧力の増加により液体容器１２の底よりパイプやホースといった液体の導水手段８から本体部１の液体流入口６を経て液体吐出口７より吐出されるのである。
【００３１】  気体排出量調整手段４のねじを時計回り又は反時計回りに回転して、気体流入口２と連通した気体排出口３への通路の開き具合を適度に調整することにより、気体流入口２から流入した気体は気体排出口３より適度に排出されるとともに、気体は気体送出口５側にも適量が送出されて、液体容器１２内の気体の圧力上昇速度を調整して液体の吐出量を調整できるのである。
【００３２】  気体流入部２から流入する気体は本例では空気であり、適度な圧力で空気を送出する外付けのエアーポンプにより流入されるが、工場等で多く使用される高圧のコンプレッサーを利用する場合は圧力が高すぎるので配管の途中に調圧器を挿入して適度の空気圧力にしてから気体流入部２に接続すれば良い。
【００３３】  本発明の液体小分け装置は前記のような構造と動作原理で動作し、大きさが高さ８０ｍｍ程度の円筒形の本体部１を液体容器１２の容器口１３に嵌め込み、気体流入口２に気体を流入するためのパイプ等を接続するだけで使用できるので、設備が小型でコンパクトにまとめることができるのである。
【００３４】  又、液体容器１２内に直接気体を送出する構造であるため、得ようとする液体を取得するのに必要最小限の気体を送出すれば良いので、液体を小分けするのに必要以上の気体を送出する必要がないのである。
【００３５】  又、気体排出量調整手段４をねじの回転による調整手段とし、その回転方向は時計回りに回転することにより液体の吐出量が少なくなるように、逆ねじのねじを用いたことにより、通常家庭で使用されている水道の蛇口と同様の操作で液体の出具合を調整できるので、液体を出すことと止める動作に違和感がなく、安全に液体の小分け作業ができるのである。
【００３６】  又、液体容器１２の中の液体を外部に排出する容器口１３は通常は液体容器１２の上部に設けられているが、液体容器１２の中の液体を外部に排出するために液体容器１２を傾けたり横に寝かせたりせず、液体容器１２を通常置かれる形で容器口１３を上部に向けたままで使用できるのである。
【００３７】  又、液体流入口６には通常、パイプやホースによる液体の導水手段８が着脱自在に接続固定される構造になっているが、液体の導水手段８を液体流入口６に固定して一体化したものでも使用する液体容器１２の大きさが決まっていれば、例えば１８リットル入りペール缶専用の小分け装置といった具合に、液体容器１２の種類や大きさに合わせた専用小分け装置とすることも可能である。
【００３８】  液体容器１２の種類や大きさに合わせた専用小分け装置とすることにより、使用する液体容器の種類や大きさが決まっている場合には液体容器１２に合う大きさの小分け装置を探す必要がなく、取扱いが容易となるのである。
【００３９】  さらには、本体部１には電気や火気を使用している部分がなく、使用する液体が引火性の場合でも使用する気体を空気等とすれば引火することもなく、引火性の液体を扱っても安全である。
【００４０】  さらには、液体容器１２内への圧力を適度に加減することにより、使用する液体の粘度が低粘度であっても高粘度であっても使用が可能である。
【００４１】  さらには、ゴミや塵埃を除去するフィルター等を用いて使用する気体を衛生的に保てば、牛乳や酒類、ジュース類といった食品の小分けにも応用が可能である。
【００４２】  さらには、装置が小型で軽量であり構造も簡単であるので、日常の掃除やメンテナンスが容易である。
【００４３】  パイプやホースによる液体の導水手段８の固定方法には、液体の導水手段８が例えばパイプであれば本体部１の液体流入口６の内径部にネジを切り、パイプの外周にもネジを切ってネジ止め固定する方法や、液体の導水手段８が例えばホースであれば接着剤等により固定する方法等、いろいろな固定方法が考えられる。
【００４４】  図４は容器口の概略斜視図で液体容器１２の容器口１３の概観を示す図であり、図５は接続状態を示す図で本体の接合部９と液体容器１２の容器口１３の接続状態を示すものである。
【００４５】  本例で示す液体容器１２の容器口１３は液体容器１２の上部にあって、容器口１３の上部には丸みのある膨らみを持った形状の缶吐出口１４を有し、缶吐出口１４の下部の窪んだ部分に円周溝１５を有し、円周溝１５の下部も缶吐出口１４と同様に丸みのある膨らみを持った形状を有している。
【００４６】  又、本体部１下部の接合部９の内側にはオーリング１０を有しており、オーリング１０は液体小分け装置の本体部１と液体容器１２の容器口１３とを確実に接続すると共に、液体容器１２内部の加圧された気体が液体容器１２外部に漏れるのを防止している。
【００４７】  液体小分け装置の本体部１と液体容器１２の容器口１３との接続は、本体部１下部の概丸穴形状をした接合部９を液体容器１２の容器口１３に合わせて押し込めば、容器口１３上部の丸みのある膨らみを持った缶吐出口１４により接合部９内側のオーリング１０がやや開いて缶吐出口１４下部の円周溝１５にすっぽりとはまり込むことにより固定され確実に接続されるのである。
【００４８】  本体部１と容器口１３が接続された状態で本体部１の気体流入口２から流入した気体は、気体送出口５を経て液体容器１２の内部に送出されて液体容器１２の内部の圧力を上昇させるが、液体容器１２の内部の圧力が上昇すれば上昇した圧力により本体部１全体が上方に押し上げられると同時に、円周溝１５にはまり込んだオーリング１０が缶吐出口１４の丸みのある膨らみに押しつけられることにより液体容器１２内の気密性が保持され、液体容器１２内部の気体が外部に漏れるの防止することができ、液体容器１２内部の液体に効率良く圧力を加えることにより液体容器１２内部の液体を効率良く吐出することができるのである。
【００４９】  図６は膨らみ防止押さえ具の概略斜視図であり、図７は膨らみ防止押さえ具の使用例概略斜視図である。
【００５０】  膨らみ防止押さえ具２１の構造は、液体容器１２の容器の縁１６へ引っ掛けて膨らみ防止押さえ具２１を固定する縁固定手段１７を有し、容器上面１８を押さえて容器上面１８の膨らみを防止する膨らみ防止手段１９を有し、概凹形状で液体小分け装置の本体部１の本体固定部１１に引っ掛けて本体部１を固定する本体固定手段２０を有している。
【００５１】  膨らみ防止押さえ具２１の作用は、液体小分け装置の本体部１に有する本体固定部１１に膨らみ防止押さえ具２１の概凹形状の本体固定手段２０を嵌め込み、膨らみ防止押さえ具２１が有している３箇所の縁固定手段１７の突起状部を容器の縁１６に引っ掛けて固定する。
【００５２】  前記のように膨らみ防止押さえ具２１を液体容器１２の容器上面１８に固定すれば、膨らみ防止押さえ具２１の膨らみ防止手段１９が容器上面１８に当たって、液体容器１２内の圧力上昇により容器上面１８が膨らむことを防止すると共に、本体固定手段２０により本体部１の本体固定部１１を押さえることにより本体部１の固定をより確実にすることができるのである。
【００５３】  図の例では縁固定手段１７は容器の縁１６に引っ掛けて使用する例であるが、ねじ等により縁固定手段１７を容器の縁１６に確実に固定するといった別の方法により固定しても良い。
【００５４】  前述のように膨らみ防止押さえ具２１を使用することにより、液体容器１２内の圧力が上昇して容器上面１８が膨らもうとしても膨らみ防止手段１９により容器上面１８の膨らみを防止することができると共に、本体部１は本体固定手段２０により容器口１３に確実に固定されるのである。
【図面の簡単な説明】
【００５５】
【図１】液体小分け装置の断面図
【図２】液体小分け装置の概略斜視図
【図３】動作原理の概念図
【図４】容器口の斜視図
【図５】接続状態を示す図
【図６】膨らみ防止押さえ具の概略斜視図
【図７】膨らみ防止押さえ具の使用例概略斜視
【符号の説明】
【００５６】    １：本体部
２：気体流入口
３：気体排出口
４：気体排出量調整手段
５：気体送出口
６：液体流入口
７：液体吐出口
８：液体の導水手段
９：接合部
１０：オーリング
１１：本体固定部
１２：液体容器
１３：容器口
１４：缶吐出口
１５：円周溝
１６：容器の縁
１７：縁固定手段
１８：容器上面
１９：膨らみ防止手段
２０：本体固定手段
２１：膨らみ防止押さえ具
【図１】
2011126597.tif 000003
【図２】
2011126597.tif 000004
【図３】
2011126597.tif 000005
【図４】
2011126597.tif 000006
【図５】
2011126597.tif 000007
【図６】
2011126597.tif 000008
【図７】
2011126597.tif 000009